(57)【要約】【課題】放送電波を受信して放送番組を視聴する機能と無線通信電波を送受信する無線通信機能とを有する携帯端末装置において、アンテナの収納スペースの省スペース化とアンテナの電気長の確保とを両立した携帯端末装置を提供する。【解決手段】所定の周波数帯域において放送される放送電波を受信するための第１のアンテナ部１１０と、この第１のアンテナ部と接続され、前記第１のアンテナ部の電気長を増加させる電気長補助部１２０と、前記電気長補助部を介して給電される放送受信回路部１３０とを設けた。【選択図】  図１
2011029747.tif 000002
【特許請求の範囲】
【請求項１】
所定の周波数帯域において放送される放送電波を受信するための第１のアンテナ部と、
この第１のアンテナ部と接続され、前記第１のアンテナ部の電気長を増加させる電気長補助部と、
前記電気長補助部を介して給電される放送受信回路部と
を備えることを特徴とする携帯端末装置。
【請求項２】
請求項１に記載の携帯端末装置において、
前記第１のアンテナは、前記携帯端末装置の筐体内部に収納可能なホイップアンテナを構成し、前記電気長補助部と電気的に接続されていることを特徴とする携帯端末装置。
【請求項３】
請求項１に記載の携帯端末装置において、
前記放送電波とは異なる周波数帯域の通信電波を送受信する第２のアンテナ部と、
前記第２のアンテナ部を介して給電される無線通信回路部と、
前記電気長補助部と第２のアンテナ部とが一体となったアンテナユニット部と
を備えることを特徴とする携帯端末装置。
【請求項４】
請求項３に記載の携帯端末装置において、
前記アンテナユニットは、プリント基板上のパターンによって形成されていることを特徴とする携帯端末装置。
【請求項５】
請求項４に記載の携帯端末装置において、
前記アンテナユニットは、プリント基板上でメアンダ形状のパターンによって構成されていることを特徴とする携帯端末装置。
【発明の詳細な説明】
【技術分野】
【０００１】
本発明は、携帯端末装置に関し、特に放送電波を受信して放送番組を視聴する機能と無線通信電波を送受信する無線通信機能とを有する携帯端末装置に関する。
【背景技術】
【０００２】
従来の放送番組を視聴する機能と無線通信機能とを有する携帯端末装置には、折りたたみ可能な筐体のヒンジ部またはスライド可能な筐体の下部筐体の上面部にマルチバンド対応の無線通信用の内蔵アンテナを、ヒンジ部または筐体側面に放送電波受信用の引き出し可能なホイップアンテナを備える場合が多い。
このような、無線通信電波と放送電波といった異なる周波数帯の電波を送受信する携帯端末装置では、互いの無線電波間による干渉や、異なるアンテナを同一筐体内に配置することによる受信感度の差異によって、放送番組の視聴を良好に実現するに十分な放送電波の受信感度を確保できない場合があるといった問題があった。
【０００３】
上記のような問題に対して、異なる形状の二つのアンテナを同一基板上に構成することによって、定在波やフェージングへの耐性を向上させるとともに受信帯域を広げるアンテナの構成（特許文献１）が、折りたたみ型携帯無線通信装置の上下筐体を開いた際に使用者の方向を避けるような放射指向性を有する筐体内蔵アンテナの構成（特許文献２）が提案されている。また、異なる周波数帯の二つの無線信号を妨害なく受信するアンテナ構成を備えた移動体通信機器（特許文献３）が提案されている。
【先行技術文献】
【特許文献】
【０００４】
【特許文献１】特開２００４−１１２７４４号公報
【特許文献２】特開２００５−２１７９１７号公報
【特許文献３】特表２００９−５０９４４５号公報
【発明の概要】
【発明が解決しようとする課題】
【０００５】
しかしながら、近年の携帯端末装置の飛躍的な小型化や薄型化といったデザイン性を重視した筐体構造の変化に伴い、良好な放送電波の受信特性を得るために十分な電気長を有したホイップアンテナを備えることが困難となり、特許文献１〜３の従来技術では、携帯端末装置のデザイン性を確保しかつ良好な放送電波の受信特性を得るアンテナを備えることができないといった問題があった。
【０００６】
例えば、特許文献１および２の技術では、一の所望の無線電波の送受信特性を向上させるためのアンテナの構成であり、特許文献３の技術では、異なる周波数帯の二つの無線信号を受信する際に、これら無線信号間の影響を低減するアンテナアセンブリを備えた移動体通信機器の構成により、所望の無線電波の受信特性の向上を図るものであって、いずれの技術もアンテナの収納スペースの省スペース化とアンテナの電気長の確保とを両立して放送電波の受信感度の向上を図ることを目的とするものではない。
本発明は、上述のような問題を解決すべく、放送電波を受信して放送番組を視聴する機能と無線通信電波を送受信する無線通信機能とを有する携帯端末装置において、アンテナの収納スペースの省スペース化とアンテナの電気長の確保とを両立した携帯端末装置を提供することを特徴とする。
【課題を解決するための手段】
【０００７】
本発明は、上記の目的を達成するために、所定の周波数帯域において放送される放送電波を受信するための第１のアンテナ部と、この第１のアンテナ部と接続され、前記第１のアンテナ部の電気長を増加させる電気長補助部と、前記電気長補助部を介して給電される放送受信回路部とを備えることを特徴とする。
【発明の効果】
【０００８】
本発明によれば、第１のアンテナ部と電気長補助部とを接続して、この電気長補助部を介して放送受信回路部に対して給電することにより、第１のアンテナ部のみでは良好な放送電波の受信感度を得られない場合でも、第１のアンテナ部と電気長補助部とを合わせた電気長を確保することができる。
したがって、良好な放送電波の受信特性を有するアンテナを収納するスペースを筐体内に確保できない場合でも、第１のアンテナ部と電気長補助部によって放送電波の受信感度の向上を図ることができ、良好な放送番組の試聴が可能となる。
【図面の簡単な説明】
【０００９】
【図１】本発明の第１の実施の形態にかかる携帯端末装置の構成を示すブロック図である。
【図２】本発明の第２の実施の形態にかかる携帯端末装置の構成を示すブロック図である（ホイップアンテナ収納時）。
【図３】本発明の第２の実施の形態にかかる携帯端末装置の構成を示すブロック図である（ホイップアンテナ伸張時）。
【図４】本発明の第３の実施の形態にかかる携帯端末装置の構成を示すブロック図である。
【図５】本発明の第３の実施の形態にかかる携帯端末装置における電気長補助部３２０および第２のアンテナ部３１１の一例を概念的に示す図である。
【発明を実施するための形態】
【００１０】
以下、図面を参照し、本発明の実施の形態について説明する。
［第１の実施の形態］
本発明の第１の実施の形態にかかる携帯端末装置は、放送電波を受信するアンテナを備え、このアンテナによって受信した放送電波から放送番組を視聴可能とする視聴機能を有するものであり、図１に示すように、本実施の形態にかかる携帯端末装置１０は、第１のアンテナ部１１０と電気長補助部１２０と放送受信回路部１３０とから構成されている。
【００１１】
第１のアンテナ部１１０は、所定の周波数帯域において放送される放送電波を受信するアンテナである。
電気長補助部１２０は、第１のアンテナ部１１０と接続されることにより、第１のアンテナ部１１０が有する電気長を増加させる効果を有する。
【００１２】
放送受信回路部１３０は、携帯端末装置１０が受信した放送電波から放送番組を視聴可能とする機能を有する。すなわち、放送電波を携帯端末装置１０によって受信すると、放送受信回路部１３０は、受信した放送電波から放送番組を視聴可能とする放送信号（音声または映像信号など）へ変換し、放送番組を視聴できるように放送信号を出力するものである。
【００１３】
図１において、第１のアンテナ部１１０と電気長補助部１２０とは接続されており、放送電波を受信する際の有効な電気長は、第１のアンテナ部１１０の電気長に電気長補助部１２０の電気長を加えた電気長となっている。また、放送受信回路部１３０は、電気長補助部１２０を介して給電される。
そのため、放送受信回路部１３０に入力される放送電波、すなわち、携帯端末装置１０が受信した放送電波は、第１のアンテナ部１１０と電気長補助部１２０とを合わせた有効な電気長に基づいた受信特性により得られる。
【００１４】
このように、本実施の形態にかかる携帯端末装置１０によれば、第１のアンテナ部１１０と電気長補助部１２０とを接続して、この電気長補助部１２０を介して放送受信回路部１３０に対して給電することにより、第１のアンテナ部のみでは良好な放送電波の受信感度を得られない場合でも、第１のアンテナ部と電気長補助部とを合わせた電気長の確保が可能となり、放送電波の受信感度の向上を図ることができる。
【００１５】
［第２の実施の形態］
本発明の第２の実施の形態にかかる携帯端末装置は、放送電波を受信して放送番組を視聴可能とする視聴機能を有するとともに、無線通信電波を送受信する無線通信機能を有するものである。
なお、本実施の形態にかかる携帯端末装置の構成要素について、第１の実施の形態において説明した構成要素と同一の構成および機能を有するものには、同一の符号を付し、詳細な説明は省略する。
【００１６】
本実施の形態にかかる携帯端末装置２０は、図２に示すように、第１のアンテナ部１１０とアンテナユニット２１０と放送受信回路部１３０と無線通信回路部２３０と内蔵電源部２４０とから構成されている。
ここで、本実施の携帯にかかる携帯端末装置２０においては、伸張可能なホイップアンテナを第１のアンテナ部１１０とする。
【００１７】
アンテナユニット部２１０は、電気長補助部１２０と、第２のアンテナ部２１１と、接続部２１２と、放送電波給電部２１３と、無線通信電波給電部２１４とから構成されており、第１のアンテナ部１１０の電気長を増加させる効果を有する電気長補助部１２０と無線通信電波を送受信する第２のアンテナ部２１１とを一体化したものである。
【００１８】
第２のアンテナ部２１１は、第１のアンテナ部１１０によって受信される放送電波とは異なる周波数帯域の通信電波を送受信するアンテナである。
接続部２１２は、第１のアンテナ部１１０と電気長補助部１２０とを電気的に接続する。
放送電波給電部２１３は、電気長補助部１２０と放送受信回路部１３０とを接続して、受信した放送電波を放送受信回路部１３０に対して給電する。
無線通信電波給電部２１４は、第２のアンテナ部２１１と無線通信回路部２３０とを接続して、受信した無線通信電波を無線通信回路部２３０に対して給電する。
【００１９】
無線通信回路部２３０は、第２のアンテナ部によって受信した無線電波を通信データへ変換し、また通信データを無線電波へ変換して第２のアンテナ部から送信することにより無線通信機能を実現する。
内蔵電源部２４０は、携帯端末装置２０の内蔵電源であり、放送受信回路部１３０や無線通信回路部２３０といった携帯端末装置２０の構成要素に電源を供給する。
【００２０】
ここで、本実施の形態にかかる携帯端末装置２０の構成を図２および図３に示す。この図２および図３において示す波線内の領域は携帯端末装置２０の筐体内部を示すものである。筐体内部には、図２に示すように放送電波受信用の第１のアンテナ部１１０であるホイップアンテナが収納されており、また、このホイップアンテナを引き出した状態を図３に示す。
【００２１】
図２および図３に示すように、本実施の形態にかかる携帯端末装置２０のアンテナユニット２１０内の電気長補助部１２０は、一方を接続部２１２を介して第１のアンテナ部１１０と接続され、他方を放送電波給電部２１３を介して放送受信部回路部１３０に接続されている。また、アンテナユニット２１０内の第２のアンテナ部２１１は、無線通信電波給電部２１４を介して無線通信回路部２３０と接続されている。
【００２２】
したがって、放送番組の試聴時は、放送電波受信用の第１のアンテナ部１１０と接続部２１２を介してこの第１のアンテナ部と接続されたアンテナユニット２１０内の電気長補助部１２０とによって受信した放送電波を、放送電波給電部２１３から放送受信回路部１３０に対して給電することによって放送番組の試聴が可能となる。
また、無線通信の実行時はアンテナユニット２１０内の第２のアンテナ部が無線通信電波給電部２１４を介して無線通信回路部２３０と接続されることによって、無線通信データの送受信が可能となる。
【００２３】
このように、本実施の形態にかかる携帯端末装置２０によれば、放送電波を受信する第１のアンテナ部の電気長を増加させる効果を有する電気長補助部と、無線通信電波の送受信用アンテナである第２のアンテナ部とを一体化したアンテナユニットとして配置することによって、電気長補助部を新たな部品として追加する必要がなく、筐体内部の空間を有効利用することができ、第１のアンテナ部の収納スペースをより広く確保することが可能となる。
【００２４】
また、無線通信電波の送受信用のアンテナである第２のアンテナ部は、送受信特性を確保するために、筐体内の金属部または基板のアース領域の近辺を避けるように配置されている。よって、第２のアンテナ部と一体化したアンテナユニットに電気長補助部を設けることにより、電気長補助部にとっても放送電波の受信特性が良好となる位置に配置され、第１のアンテナ部と電気長補助部とによる電気長の更なる向上を図ることができ、より良好な放送番組の試聴が可能となる。
【００２５】
［第３の実施の形態］
本発明の第３の実施の形態にかかる携帯端末装置は、放送番組の視聴機能と無線通信機能とを有するものであって、放送電波を受信する第１のアンテナ部の電気長を増加させる効果を有する電気長補助素子と無線通信電波の送受信用アンテナと放送番組の試聴機能を実現する制御回路と無線通信を実現する制御回路とが同一の基板上に構成されるものである。
なお、本実施の形態にかかる携帯端末装置の構成要素について、第２の実施の形態において説明した構成要素と同一の構成および機能を有するものには、同一の符号を付し、詳細な説明は省略する。
【００２６】
本実施の形態にかかる携帯端末装置３０は、図４に示すように、第１のアンテナ部１１０とメインユニット３００と内蔵電源部２４０とから構成されている。
メインユニット３００は、接続部２１２と電気長補助部３２０と第２のアンテナ部３１１と放送受信回路部１３０と無線通信回路部２３０とから構成されており、これら構成要素を一のプリント基板上に配置した構成を有するものである。
【００２７】
電気長補助部３２０と第２のアンテナ部３１１は、ともにメインユニット３００であるプリント基板上にメアンダ形状を有した導通パターンによって形成される。
ここで、本実施の形態にかかる携帯端末装置３０における電気長補助部３２０および第２のアンテナ部３１１の一例を図５に示す。
【００２８】
図５に示すように、メインユニット３００内にメアンダ形状を有した導通パターンによって形成された電気長補助部３２０は、メインユニット３００内の接続部２１２を介して第１のアンテナ部１１０と接続され、他端ではメインユニット３００内に配置されている放送受信回路部１３０に接続されている。
また、第２のアンテナ部３１１は、メインユニット３００内にメアンダ形状を有した導通パターンによって形成され、メインユニット３００に配置されている無線通信回路部２３０へ接続されている。
【００２９】
このように、本実施の形態にかかる携帯端末装置３０では、メインユニットであるプリント基板上の領域を利用して電気長補助部および第２のアンテナ部をメアンダ形状を有した導通パターンによって配置することにより、単独の部品として電気長補助部と第２のアンテナ部を備えたアンテナユニットを追加する必要がないため、部品点数の増加を抑制しコスト増加を防ぐことができる。
また、電気長補助部、第２のアンテナ部、放送受信回路部、無線通信回路部をメインユニット内で一体構成とすることにより、携帯端末装置３０の筐体内部の空間を有効利用することができ、小型化および薄型化として筐体設計された携帯端末装置３０においても、第１のアンテナ部であるホイップアンテナの収納スペースを従来より広く確保することが可能となる。すなわち、携帯端末装置のデザイン性と放送番組の受信特性とを両立させることが可能となる。
【産業上の利用可能性】
【００３０】
デジタルテレビ放送等の放送番組の視聴機能と映像や音声などのデータを送受信する無線通信機能とを備えた携帯電話端末装置および携帯情報端末装置のアンテナの構成に利用可能である。
【符号の説明】
【００３１】
１０，２０，３０…携帯端末装置、１１０…第１のアンテナ部、１２０，３２０…電気長補助部、１３０…放送受信回路部、２１０…アンテナユニット、２１１，３１１…第２のアンテナ部、２１２…接続部、２１３…放送電波給電部、２１４…無線通信電波給電部、２３０…無線通信回路部、２４０…内蔵電源部。
【図１】
2011029747.tif 000003
【図２】
2011029747.tif 000004
【図３】
2011029747.tif 000005
【図４】
2011029747.tif 000006
【図５】
2011029747.tif 000007